(57)【要約】【課題】高濃度水素水の水素含有濃度を大幅に高め、高濃度水素水の汚染を回避して安全性を高めることができる水素水供給機能を備える携帯式飲料水用カップの提供。【解決手段】カップ本体３１に飲料水の収容空間３１１を形成し、ポンプ３３１１が、収容空間３１１に進水管及び出水管で連結され、進水管に水素水融合器３３１５が設置され、電解セル３３２１内に電極と純水素案内部材３３２３が設置され、電解セル３３２１は、収容空間３１１と連結され、酸素を排出する排気管に連結され、補給管によりポンプ３３１１と連結され、収容空間３１１の飲料水が出水管を経てポンプ３３１１へ流入し、水素ガスが純水素案内部材３３２３から補給管を経てポンプ３３１１へ補充され、ポンプ３３１１から進水管へ送られた飲料水と水素ガスは水素水融合器３３１５により水素ガスを含む飲料水となって収容空間３１１内へ回流する。【選択図】図１
0003225167.tif 000002
【実用新案登録請求の範囲】
【請求項１】
水素水供給機能を備える携帯式飲料水用カップであって、カップ本体、前記カップ本体上に蓋をするカップ蓋、及び前記カップ本体に設置される水素水処理器を有し、
前記カップ本体内部には、飲料水を収容可能な収容空間を形成し、
前記水素水処理器は、水素水製造装置、及び前記水素水製造装置と連結された電解装置を有し、前記水素水製造装置は、前記カップ本体の収容空間に連結されたポンプを備え、前記ポンプと前記収容空間とは進水管及び出水管を介して連結され、前記ポンプと前記電解装置とは補給管を介して連結され、前記進水管に水素水融合器が設置され、前記水素水融合器内には、複数の水流制限遮蔽板が設置され、
前記電解装置は、電解セルを備え、前記電解セル内に電極と純水素案内部材が設置され、前記電解セルは、前記カップ本体の収容空間と入水管を介して連結されると共に、酸素を排出する排気管に連結され、且つ、前記補給管を介して前記ポンプと連結され、前記収容空間の飲料水が前記出水管を経て前記ポンプへ流入すると共に、水素ガスが前記電解セルの純水素案内部材から前記補給管を経て前記ポンプへ補充され、前記ポンプから前記進水管へ送られた前記飲料水と前記水素ガスは、前記水素水融合器により混合、圧迫、霧化融合作用を施され、水素ガスを含む飲料水が前記進水管から前記収容空間内へ回流することを特徴とする水素水供給機能を備える携帯式飲料水用カップ。  
【請求項２】
前記カップ蓋には、排気バルブを設置する
ことを特徴とする請求項１に記載の水素水供給機能を備える携帯式飲料水用カップ。
【請求項３】
前記電解セル内には、水位検知器を設置する
ことを特徴とする請求項１に記載の水素水供給機能を備える携帯式飲料水用カップ。
【請求項４】
前記入水管には、前記収容空間から前記電解セルに進入する飲料水の量を制御するコントロールバルブを設置する
ことを特徴とする請求項１或いは３に記載の水素水供給機能を備える携帯式飲料水用カップ。
【請求項５】
前記排気管には、気体排出器が連結される
ことを特徴とする請求項１に記載の水素水供給機能を備える携帯式飲料水用カップ。
【考案の詳細な説明】
【技術分野】
【０００１】
本考案は、水素水供給機能を備える携帯式飲料水用カップに関する。
【背景技術】
【０００２】
高濃度水素水は水素イオンを高濃度に含む水で、高い抗酸化作用、フリーラジカル低下等の機能を備え、しかも皮膚の老化を遅らせ、炎症を抑え、筋肉疲労を減らす等の効果を発揮すると考えられている。
そのため、市場では容器入り高濃度水素水、高濃度水素水生成装置が販売されている。
しかし、市販の容器は使い捨てであるため、ゴミを増やし、環境全体に影響を及ぼし、資源の浪費になる等の欠点を有しており、省エネ及び二酸化炭素削減、サステイナブル理念を主とする現代社会に適していない。
【０００３】
また、高濃度水素水生成器は、大きくて重い等と言う欠点があり、使用者は高濃度水素水生成器を家において使用するしかなく、外出時に携帯することはできない。
けれども、高濃度水素水生成器が生成する高濃度水素水を、容器内に充填して携帯し外出すれば、高濃度水素水内の水素含有濃度は時間の経過とともに徐々に低下するため、改善が必要である。
【０００４】
上記の問題に対応するため、携帯式水素水カップが開発された。
この携帯式水素水カップ内には、電極が設置され、飲料水を水素水カップ内に入れると、飲料水と電極が電解反応を生じ、水素を飲料水中に注入し、これにより高濃度水素水が生成される。
しかし、電極は、水素水カップ内に設置され、飲料水と直接接触するため、電解反応が生成する微量オゾン及び他の無益或いは有害な物質を飲料水中から完全に分離することは不可能で、飲料水は汚染されてしまう。
さらに、水素水カップは、飲料水中で絶えず電解反応により水素ガスを生成し、水素ガスが自ら飲料水中に溶け込むのを待って、ようやく高濃度水素水とするが、水素ガスは飲料水に溶け込みにくいため、高濃度水素水の水素含有濃度は高くなく、しかも高濃度水素水の保存時間も短い等の欠点が存在する。
【考案の概要】
【考案が解決しようとする課題】
【０００５】
本考案が解決しようとする課題は、前記従来の携帯式水素水カップが有する、微量オゾン及び他の無益或いは有害な物質により汚染され、水素含有濃度が低く、高濃度水素水の保存時間が短いという欠点を解消し、生成される高濃度水素水の水素含有濃度を大幅に高め、同時に高濃度水素水の生成過程で無益な物質を効果的に隔離することで、高濃度水素水の汚染を回避でき、飲用の安全性を高めることができる水素水供給機能を備える携帯式飲料水用カップを提供することにある。
【課題を解決するための手段】
【０００６】
本考案の水素水供給機能を備える携帯式飲料水用カップは、カップ本体、前記カップ本体上に蓋をするカップ蓋、及び前記カップ本体に設置される水素水処理器を有し、前記カップ本体内部には、飲料水を収容可能な収容空間を形成し、前記水素水処理器は、水素水製造装置、及び前記水素水製造装置と連結された電解装置を有し、前記水素水製造装置は、前記カップ本体の収容空間に連結されたポンプを備え、前記ポンプと前記収容空間とは進水管及び出水管を介して連結され、前記ポンプと前記電解装置とは補給管を介して連結され、前記進水管に水素水融合器が設置され、前記水素水融合器内には、複数の水流制限遮蔽板が設置され、前記電解装置は、電解セルを備え、前記電解セル内に電極と純水素案内部材が設置され、前記電解セルは、前記カップ本体の収容空間と入水管を介して連結されると共に、酸素を排出する排気管に連結され、且つ、前記補給管により前記ポンプと連結され、前記収容空間の飲料水が前記出水管を経て前記ポンプへ流入すると共に、水素ガスが前記電解セルの純水素案内部材から前記補給管を経て前記ポンプへ補充され、前記ポンプから前記進水管へ送られた飲料水と水素ガスは、前記水素水融合器により混合、圧迫、霧化融合作用を施され、水素ガスを含む飲料水が前記進水管から前記収容空間内へ回流する。
【０００７】
望ましくは、前記カップ蓋に排気バルブを設置する。
【０００８】
望ましくは、前記電解セル内に水位検知器を設置する。
【０００９】
望ましくは、前記入水管には、前記収容空間から前記電解セルに進入する飲料水の量を制御するコントロールバルブを設置する。
【００１０】
望ましくは、前記排気管に気体排出器が連接される。
【考案の効果】
【００１１】
本考案の水素水供給機能を備える携帯式飲料水用カップによれば、高濃度水素水の水素含有濃度を大幅に高めることができるばかりか、同時に該高濃度水素水の生成過程で、無益な物質を効果的に隔離し、高濃度水素水の汚染を回避でき、飲用上の安全性を高めることができる。
【図面の簡単な説明】
【００１２】
【図１】本考案の一実施形態を示す水素水供給機能を備える携帯式飲料水用カップの分解斜視図である。
【図２】本考案の一実施形態に係る水素水製造装置の上から見た斜視図である。
【図３】本考案の一実施形態に係る水素水製造装置の下から見た斜視図である。
【図４】本考案の一実施形態を示す水素水供給機能を備える携帯式飲料水用カップの作動模式図である。
【考案を実施するための形態】
【００１３】
以下、図面に基づいて本考案の一実施例を詳細に説明する。
図１〜図４に示す通り、本考案の一実施形態において、水素水供給機能を備える携帯式飲料水用カップ３は、カップ本体３１、カップ本体３１に蓋をするカップ蓋３２、及びカップ本体３１に設置される水素水処理器３３を有する。
【００１４】
カップ本体３１の内部には、飲料水を収容可能な収容空間３１１を形成する。
水素水処理器３３は、水素水製造装置３３１、及び水素水製造装置３３１と連結された電解装置３３２を有する。
水素水製造装置３３１は、カップ本体３１の収容空間３１１に進水管３３１２及び出水管３３１３を介して連結されたポンプ３３１１を備える。ポンプ３３１１と電解装置３３２とは補給管３３１４を介して連結される。
進水管３３１２には水素水融合器３３１５が設置される。
水素水融合器３３１５内には、複数の水流制限遮蔽板３３１６を設置する。
本実施形態中において、カップ蓋３２内には、排気バルブ３２１を設置する。
【００１５】
電解装置３３２は、電解セル３３２１を備え、電解セル３３２１内に電極３３２２と純水素案内部材３３２３が設置される。
電解セル３３２１は、カップ本体３１の収容空間３１１と入水管３３２４を介して連結され、酸素を排出する排気管３３２５に連結され、補給管３３１４を介してポンプ３３１１と連結される。
本実施形態中において、電解セル３３２１内には水位検知器３３２６が設置され、これにより電解セル３３２１内の水位の検知を行う。
入水管３３２４には、カップ本体３１の収容空間３１１から電解セル３３２１に進入する飲料水の量を制御するコントロールバルブ３３２７が設置される。
また、排気管３３２５は気体排出器３４に連結される。
【００１６】
図１〜図４に示す通り、携帯式飲料水用カップ３の使用時に、使用者が、飲料水を収容空間３１１内に入れると、飲料水の一部は、コントロールバルブ３３２７に制御され、入水管３３２４から電解セル３３２１内に進入する。
同時に、水位検知器３３２６は電解セル３３２１内の水位を検知し、この検知結果によってコントロールバルブ３３２７が働き、電解セル３３２１内の水位を適当な位置に調整する。
【００１７】
続いて、飲料水と電解セル３３２１内の電極３３２２は電解反応を生じ、飲料水を分解して酸素と水素ガスを生成する。
酸素は、排気管３３２５から気体排出器３４へと排出される。
水素ガスは、純水素案内部材３３２３から補給管３３１４へと案内され、さらに補給管３３１４を経てポンプ３３１１内へと送り込まれる。
同時に飲料水と電極３３２２が生じる電解反応が生成する無益物質或いは有害物質は、電解セル３３２１内で効果的に隔離される。
【００１８】
飲料水の一部は、出水管３３１３によりポンプ３３１１内に進入する。
水素ガスと飲料水は、ポンプ３３１１により加圧され、進水管３３１２を通る時、水素水融合器３３１５を通過する。
この時、水素水融合器３３１５内の水流制限遮蔽板３３１６は高圧を発生し、水素ガスと飲料水に対して、混合、圧迫、霧化作用を生じ、飲料水と水素ガスは融合される。
こうして、水素含有濃度がさらに高い高濃度水素水を生成し、生成された高濃度水素水は、進水管３３１２からカップ本体３１の収容空間３１１内に送り込まれ、使用者の飲用に供される。
【００１９】
これを繰り返すことで、高濃度水素水の水素含有濃度を大幅に高め、同時に電解セル３３２１内において無益物質或いは有害物質を隔絶し、これにより生成された高濃度水素水の汚染を回避し、飲用の安全性を高めることができる。
カップ蓋３２内の排気バルブ３２１は、高濃度水素水から分離された気体を外へと排出し、これによりカップ本体３１の収容空間３１１内の圧力バランスを調節し、使用上の利便性と安全性を高めることができる。
【００２０】
上記を総合すると、本考案による水素水供給機能を備える携帯式飲料水用カップは、カップ本体の収容空間内の飲料水を、電解セルとポンプにそれぞれ送り入れ、これにより飲料水と電解セル内の電極は電解反応を生じ、こうして飲料水を分解して水素ガスと酸素を生じ、酸素は排気管により外へと排出され、水素ガスは、補給管によりポンプ内に送り入れられる。
さらに、ポンプは、飲料水と水素ガスを、水素水融合器に送り入れ、水素水融合器により混合、圧迫、霧化作用を生じる。
これにより、飲料水と水素ガスは融合され、水素含有濃度が高い高濃度水素水を形成する。
こうして、高濃度水素水の水素含有濃度を大幅に高めることができるばかりか、同時に電解セル内において無益物質或いは有害物質を隔絶し、これにより高濃度水素水の汚染を回避でき、飲用の安全性を高めることができる。
【００２１】
以上は本考案の実施形態の説明であって、本考案の権利範囲を限定するものではなく、本考案により保護される権利範囲は実用新案登録請求の範囲を基準とする。
【符号の説明】
【００２２】
３    携帯式飲料水用カップ
３１  カップ本体
３２  カップ蓋
３３  水素水処理器
３４  気体排出器
３１１  収容空間
３２１  排気バルブ
３３１  水素水製造装置
３３２  電解装置
３３１１  ポンプ
３３１２  進水管
３３１３  出水管
３３１４  補給管
３３１５  水素水融合器
３３１６  水流制限遮蔽板
３３２１  電解セル
３３２２  電極
３３２３  純水素案内部材
３３２４  入水管
３３２５  排気管
３３２６  水位検知器
３３２７  コントロールバルブ
【図１】
0003225167.tif 000003
【図２】
0003225167.tif 000004
【図３】
0003225167.tif 000005
【図４】
0003225167.tif 000006